(57)【要約】【課題】この発明は、構成簡易にして、観察像の高精度な視認を実現したうえで、取扱い操作性の向上を図り得るようにすることにある。【解決手段】鏡体部１０を三次元的に移動・固定可能な架台１１による鏡体部１０の移動・固定に連動して、該鏡体部１０で観察される観察像を三次元／二次元に変更して選択的に取得し得るように構成したものである。【選択図】      図１
2005066080.tif 000002
【特許請求の範囲】
【請求項１】
術部を立体観察可能な立体光学系を有する立体観察手段と、
前記立体観察手段を三次元的に移動・固定可能な保持手段と、
前記保持手段による前記立体観察手段の移動・固定に連動して、該立体観察手段で観察される観察像を立体／非立体像に変更する変更手段と
を具備することを特徴とする立体観察装置。
【請求項２】
前記立体観察手段は、左右光路が互いに独立し、互いに異なる視差を有する２つの中間像を形成し、前記中間像の位置に透過型拡散デバイスを設けた実態顕微鏡であることを特徴とする請求項１記載の立体観察装置。
【請求項３】
前記立体観察手段は、左右光路が互いに独立し、互いに異なる視差を有する２つの観察画像が撮像可能な画像顕微鏡であることを特徴とする請求項１記載の立体観察装置。
【発明の詳細な説明】
【技術分野】
【０００１】
この発明は、例えば外科手術等において微細な術部を観察するのに用いられる立体観察装置に関する。
【背景技術】
【０００２】
一般に、微細な手術部位を観察し、その処置等を施す場合には、手術用顕微鏡や立体内視鏡等の立体観察装置が用いられている。これらの手術用顕微鏡若しくは立体内視鏡は、手術部位を様々な角度から観察するため、いずれも移動・固定可能に保持する保持手段に装着されて使用に供される（例えば、特公昭５３−２３１６８号、特開２００１−２５８９０３号参照。）。
【０００３】
例えば、手術用顕微鏡は、術者が接眼レンズを覗いた状態で、手術部位を拡大観察しながら移動操作を行うため、顕微鏡本体を移動させる際、その接眼レンズからの顕微鏡観察像を見失わないように、顕微鏡本体からの射出瞳が大きいことが望まれている。そこで、観察光学系の結像位置にレンチキュラー光学部材を挿脱可能に組合わせ配置し、射出瞳の拡大を容易に実現するようにした物が提案されている（例えば、特許文献３参照。）。このように射出瞳を大きくすることにより、顕微鏡本体の移動時にも術者は、頭（眼）を接眼レンズに正確に追従させることがなくても、立体観察が可能となり、操作性の向上が図れる。
【０００４】
一方、上記立体内視鏡においては、内視鏡装置で撮影した観察像を、ヘッドマウントディスプレイやモニター等の表示部に表示して観察する方法が採られるために、射出瞳を拡大して観察し易くしている（例えば、特許文献４参照。）。
【０００５】
このような立体観察装置は、術者に拡大された瞳を射出することで、術者の頭（眼）が射出瞳から多少ずれたとしても、術者の瞳孔が射出瞳内にあることで、常に、いわゆるケラレが無く立体観察が可能となる。
【０００６】
しかしならが、上記立体観察装置では、術者が手術作業を行うために、手術中、射出瞳に対して頭（眼）を固定して観察することが難しく、特に顕微鏡本体や表示部を移動させる場合、「ずれ」が生じ易いという不都合を有する。即ち、観察時に術者の頭（眼）に「ずれ」が起こると、例えば図７（ａ）に示すように左右で視差の付いた観察像Ａ１，Ａ２（通常術者が観察できる現実世界の立体像）が、同図（ｂ）に示すように傾いた観察像Ａ１′，Ａ２′となるため、正常な立体像として認識（融像）することができず、強い疲労感を受けるという不都合が生じる。
【０００７】
ところで、立体観察を行う場合には、通常、左右の観察像のフォーカス、倍率等を同一にする必要があり、さらに、取得した観察像を、モニター等の表示部を用いて観察する場合には、左右像の表示タイミング、つまり同期を合わせる必要がある。そこで、立体観察装置にあっては、眼のチラツキよりも小さい周波数（約１／３０〜１／６０秒）で表示を制御する制御手段を備えて、厳密に左右像の表示タイミングを合わせることにより、例えば移動中においても観察像を正常に立体観察する可能に構成したものも提案されている（例えば、特許文献５参照。）。
【０００８】
ところが、上記立体観察装置では、タイミング制御用の制御手段を備えると、構成が複雑となり、高価となるうえ、その取扱い性を含む操作性が低下されるよいう不都合を有する。
【０００９】
また、上記立体観察装置においては、通常、手術部位を拡大観察するための変倍光学系が設けられている。この変倍光学系は、装置の小形化や光学上の制限条件により、一定の範囲、例えば顕微鏡であれば１．２〜２０倍前後、内視鏡であれば０．５〜２倍前後と、使用される範囲を網羅すべく１本（左右一組）が備えられる。
【００１０】
ところが、上記変倍光学系では、実際の手術場面において、低倍率で手術部位全体を把握し、高倍率に切り替えて詳細手術部位を処置するという作業が繰り返されるため、手術中において、術者が、例えばフットスイッチ等の操作手段を、繰り返し操作して倍率を設定しなければならないことで、その操作が非常に煩雑であるという不都合を有する。
【特許文献１】特公昭５３−０２３１６８号公報
【特許文献２】特開２００１−２５８９０３号公報
【特許文献３】特開平６−２０８０６０号公報
【特許文献４】特開２０００−３６５５８９号公報
【特許文献５】特開平９−０１５５３１号公報
【発明の開示】
【発明が解決しようとする課題】
【００１１】
以上述べたように、従来の立体観察装置では、観察形態に応じて観察像の高精度な視認が困難となるものであったり、構成が複雑で、その取扱い操作性が劣るという不都合を有する。
【００１２】
この発明は上記の事情に鑑みてなされたもので、構成簡易にして、観察像の高精度な視認を実現し得、且つ、取扱い操作性の向上を図り得るようにした立体観察装置を提供することを目的とする。
【課題を解決するための手段】
【００１３】
この発明は、術部を立体観察可能な立体光学系を有する立体観察手段と、前記立体観察手段を三次元的に移動・固定可能な保持手段と、前記保持手段による前記立体観察手段の移動・固定に連動して、該立体観察手段で観察される観察像を立体／非立体像に変更する変更手段とを備えて立体観察装置を構成した。
【００１４】
上記構成によれば、立体観察手段が保持手段により、移動・固定されると、この移動・固定に連動して、変更手段が立体観察手段で観察される観察像を、立体／非立体像に変更する。これにより、例えば立体観察手段の固定時、観察像を立体像に設定し、移動時、観察像を非立体像に設定することで、違和感を感じることなく、使用状況に応じた観察像の高精度な視認が実現されることにより、その取扱い操作性の向上が図れる。
【発明の効果】
【００１５】
以上述べたように、この発明によれば、構成簡易にして、観察像の高精度な視認を実現し得、且つ、取扱い操作性の向上を図り得るようにした立体観察装置を提供することができる。
【発明を実施するための最良の形態】
【００１６】
以下、この発明の実施の形態について、図面を参照して詳細に説明する。
【００１７】
（第１の実施の形態）
図１は、この発明の第１の実施の形態に係る立体観察装置を示すもので、立体観察手段として顕微鏡を用いて構成される。即ち、顕微鏡を構成する鏡体部１０は、三次元的に移動・固定可能な保持手段を構成する架台１１に保持され、該架台１１を介して三次元空間に移動・固定される。この架台１１には、その可動部に図示しない電磁ブレーキ等の制動部が設けられ、この制動部（図示せず）は、制御部１２を介して選択的にロック／フリー状態に動作制御されて架台１１の移動・固定を可能とする。
【００１８】
上記鏡体部１０には、操作用グリップ部１３が設けられ、このグリップ部１３を術者Ｓが手で保持して架台１１を三次元的に移動させて鏡体部１０を所望の位置に移動させる。このグリップ部１３には、変更手段を構成するロック／フリースイッチ１４が設けられ、このロック／フリースイッチ１４は、ケーブル１４１を介して第１の制御部１５の入力端に接続される。この第１の制御部１５は、ケーブル１５１を介して、上記制御部１２に接続され、上記ロック／フリースイッチ１４がオン／オフ操作されると、ケーブル１４１を介してオン／オフ切替信号が入力される。すると、第１の制御部１５は、オン／オフ切替信号をケーブル１５１を介して制御部１２に出力し、該制御部１２を介して上記架台１１の電磁ブレーキ（図示せず）をオン／オフ切換制御する。
【００１９】
また、上記グリップ部１３には、後述する変倍切替手段を切替操作する変倍切替スイッチ１６が設けられる。この変倍切替スイッチ１６は、ケーブル１６１を介して第２の制御部１７に接続され、この第２の制御部１７及びケーブル１７１を介して、上記鏡体部１０に内蔵された後述するモーター１８（図２参照）に接続される。
【００２０】
さらに、上記第１の制御部１５には、ケーブル１５２を介して上記鏡体部１０に内蔵されたプリズム挿脱手段を駆動する図示しない駆動部が接続され、該駆動部（図示せず）に選択的に駆動信号を出力する。
【００２１】
ここで、上記鏡体部１０の詳細について、図２を参照して詳細に説明する。
【００２２】
鏡体部１０には、その先端部に対物レンズ１０１が設けられ、この対物レンズ１０１には、レンズ間隔を変化させることにより観察倍率を変化させる左右光路を構成する一対の第１の変倍光学系１０２が対向配置される。そして、この第１の変倍光学系１０２には、一対の結像レンズ１０３が対向配置され、この結像レンズ１０３の結像点近傍には、一対の透過型光拡散デバイス１０４が対向配置される。この透過型光拡散デバイス１０４には、一対の接眼レンズ１０５が対向配置される。
【００２３】
上記結像レンズ１０３及び第１の変倍光学系１０２の間には、空間部１０６が設けられ、この空間部１０６には、スライド部材１０７が挿脱自在に収容配置される。このスライド部材１０７は、上記ロック／フリースイッチ１４の切換操作に連動し、図示しない駆動手段により選択的に移動されて空間部１０６に挿脱される。このスライド部材１０７には、上記結像レンズ１０３のそれぞれの光軸に一致した位置に配置されて、対物レンズ１０１及び第１の変倍光学系１０２からの光束を分割するビームスプリッター１０８及び該ビームスプリッター１０８からの光束を上記結像レンズ１０３に出射するための反射プリズム１０９が取付けられる。
【００２４】
また、鏡体部１０には、上記モーター１８が内装され、このモーター１８の回転軸には、ギヤ１８１が嵌着される。そして、このギヤ１８１には、変倍支持部１００に回転自在に嵌着された図示しないギアが噛合される。この変倍支持部１００には、上記第１の変倍光学系１０２が支持され、その周壁には、上記ギヤ１８１に歯合されるギア１００１（図３参照）が設けられ、上記ギヤ１８１の回転により、鏡体部１０に対して回動駆動される。
【００２５】
ここで、上記変倍支持部１００には、図３に示すように一対の第１の変倍光学系１０２に対して一対の第２の変倍光学系１００２が略直交するように収容配置される。この第２の変倍光学系１００２は、上記第１の変倍光学系１０２とは異なる、例えば低い変倍範囲を有し、上記モーター１８に嵌着されたギヤ１８１の回動位置に応じて第１の変倍光学系１０２と交換式に光路上に移動配置される。
【００２６】
上記構成において、術部Ｐを発した光は、対物レンズ１０１、第１の変倍光学系１０２、結像レンズ１０３により結像される。この結像レンズ１０３に結像された術部Ｐの観察像は、透過型光拡散デバイス１０４を介して接眼レンズ１０５に導かれ、該接眼レンズ１０５を通して術者Ｓにより観察される。この時、接眼レンズ１０５から出射される射出瞳は、透過型光拡散デバイス１０４の作用により拡大されて術者Ｓに観察される。これにより、術者Ｓは、接眼レンズ１０５に対し、多少、頭（眼）が「ずれ」た状態でも視認性に優れた観察が実現される。
【００２７】
次に、術者Ｓが術部Ｐを異なる角度から観察すべく鏡体部１０を移動させるには、術者Ｓはグリップ部１３を保持し、ロック／フリースイッチ１４を押し込み操作してオンさせる。すると、第１の制御部１５は、ロック／フリースイッチ１４のオン信号を架台１１の制御部１２に出力する。制御部１２は、オン信号に応動して架台１１の上記電磁ブレーキ（図示せず）をオフ制御し、ここに、架台１１が三次元的に移動可能となり鏡体部１０が所望の位置に移動される。
【００２８】
同時に、第１の制御部１５は、ロック／フリースイッチ１４のオンに連動して駆動信号をケーブル１５２を介して鏡体部１０に内蔵されたプリズム挿脱手段を駆動する上記駆動部（図示せず）に出力して該駆動部（図示せず）を駆動制御し、上記スライド部材１０７を鏡体部１０の空間部１０６に挿入する（図中破線で示す位置）。すると、術部Ｐを発した光は、対物レンズ１０１、第１の変倍光学系１０２、ビームスプリッター１０８により２分割され、一方の光束が結像レンズ１０３、透過型光拡散デバイス１０４、接眼レンズ１０５を介して術者Ｓにより観察される。
【００２９】
また、もう一方の光束は、反射プリズム１０９、結像レンズ１０３、透過型光拡散デバイス１０４、接眼レンズ１０５を介して術者Ｓにより観察される。ここで、術者Ｓは、接眼レンズ１０５を介して瞳拡大された非立体像である二次元の観察像が観察される。そして、術者Ｓがロック／フリースイッチ１４をオフすると、オフ操作に連動し、スライド部材１０７が空間部１０６から脱出され、上述したように瞳拡大された立体像である三次元の観察像が観察される。
【００３０】
また、例えば微細な作業をする場合、術者Ｓは、第１の変倍光学系１０２を操作し、作業しやすい倍率にすべく、上記フットスイッチ等の操作手段（図示せず）により所望の倍率に第１の変倍光学系１０２のレンズ間隔を変更し観察する。次に、術者Ｓは、術部Ｐ全体の観察像を観察する場合（例えば、広い観察視野が必要な糸を結ぶ作業の場合等）、グリップ部１３に設けられた変倍切替スイッチ１６を押し込みオンさせる。すると、第２の制御部１７は、変倍切替スイッチ１６からのオン信号がケーブル１６１を介して入力され、このオン信号に応動して駆動信号をケーブル１５２を介してモーター１８に出力する。モーター１８は、駆動信号に応動して回転駆動され、そのギヤ２８１で、ギア１００１を回転駆動し、変倍支持部１００を、鏡体部１０に対して回動させる。この変倍支持部１００の回動量は、第１の変倍光学系１０２と第２の変倍光学系１００２との位置が入れ替わるように、第２の制御部１７により制御される。ここで、術者Ｓは、上記第１の変倍光学系１０２よりも低い観察倍率を有する第２の変倍光学系１００２を介して取り込まれる術部Ｐ全体の観察像が観察される。
【００３１】
次に、術者Ｓは、作業しやすい、上記第１の変倍光学系１０２を介して得られる倍率よりも低い倍率に設定すべく、上記フットスイッチ等の操作手段（図示せず）により所望の倍率に第２の変倍光学系１００２のレンズ間隔を変更して観察する。このように術者Ｓは、上述の操作を繰り返しながら、微細な作業と、広い観察視野が必要な作業を繰り返し行う。
【００３２】
このように、上記立体観察装置は、鏡体部１０を三次元的に移動・固定可能な架台１１による鏡体部１０の移動・固定に連動して、該鏡体部１０で観察される観察像を三次元／二次元に変更して選択的に取得し得るように構成した。
【００３３】
これによれば、鏡体部１０が架台１１により、移動・固定されると、この移動・固定に連動して、鏡体部１０で観察される観察像を、三次元／二次元像に選択的に変更することにより、例えば鏡体部１０の固定時、観察像を三次元像に設定し、移動時、観察像を二次元像に設定することで、違和感を感じることなく、使用状況に応じた観察像の高精度な視認が実現されることにより、その取扱い操作性の向上が図れる。具体的には、鏡体部１０を移動操作するためのグリップ部１３に配したロック／フリースイッチ１４のオン・オフ操作に連動してビームスプリッター１０８及び反射プリズム１０９を選択的に光路上に挿脱するようにして、観察像を三次元／二次元像に切替設定することで、鏡体部１０を移動させる際に、頭（眼）が接眼レンズ１０５に対し移動した状態で観察像を観察し続けても違和感がなく、常に、術部Ｐの観察が可能であるため手術が効率的に行うことが可能となる。
【００３４】
また、上記立体観察装置は、異なる倍率範囲を有する第１及び第２の変倍光学系１０２、１００２を設け、変倍切替スイッチ１６の操作により、第１及び第２の変倍光学系１０２、１００２を選択的に光路上に挿脱するように構成した。これによれば、例えば微細な作業と、広い観察範囲を必要とする作業を交互に行う場合において、所望の倍率を選択する際に、例えば従来の手術用顕微鏡で行われていたような長時間フットスイッチ等の変倍操作手段を操作することがなくなることで、手術時間の短縮化が図れることで、術者の疲労軽減にも寄与することができる。
【００３５】
（第２の実施の形態）
図４は、この発明の第２の実施の形態に係る立体観察装置を示すもので、立体観察手段が立体内視鏡２０を用いて構成される。即ち、立体内視鏡２０には、図示しない対物レンズ、リレー光学系、変倍光学系、接眼レンズ及び撮像手段である後述する一対のテレビジョン（ＴＶ）カメラ２１，２２が設けられる、保持手段を構成する移動・固定可能な保持機構部２３に着脱自在に取付けられる。
【００３６】
この保持機構部２３は、その可動部を介して三次元的に移動・固定自在に設けられ。この可動部が図示しない電磁ブレーキ等の制動部を介してロック／フリー状態に動作制御される。また、保持機構部２３には、例えばその先端部にロック／フリースイッチ２４及び倍率変更スイッチ２５がそれぞれ操作自在に配され、このロック／フリースイッチ２４及び倍率変更スイッチ２５は、ケーブル２４１，２５１を介して画像制御部２６に電気的に接続される。
【００３７】
上記立体内視鏡２０には、その基端部に上記ＴＶカメラ２１，２２が所定の間隔を有して取付けられる。このＴＶカメラ２１，２２には、カメラコントロールユニット２７，２８がそれぞれケーブル２９を介して電気的に接続され、このカメラコントロールユニット２７，２８には、上記画像制御部２６がケーブル２７１，２８１を介して電気的に接続される。この画像制御部２６には、上記立体内視鏡２０の変倍光学系（図示せず）の位置を少なくとも２箇所記憶する図示しない記憶手段が設けられており、上記倍率変更スイッチ２５の操作により倍率が少なくとも２通り選択可能に構成される。
【００３８】
また、画像制御部２６には、ケーブル３０を介して公知の瞳拡大が可能な立体表示装置３１が電気的に接続される。この立体表示装置３１には、ＴＶカメラ２１，２２で撮像された観察像が、カメラコントロールユニット２７，２８を介して電気信号に変換されて、画像制御部２６に入力され、該画像制御部２６で映像信号が生成されて、ロック／フリースイッチ２４及び倍率変更スイッチ２５のオン／オフ操作に応動して選択に入力されて観察像が表示される。
【００３９】
上記構成において、術部Ｐから発した光は、立体内視鏡２０で取り込まれてＴＶカメラ２１，２２に術部Ｐの観察像として撮像される。ＴＶカメラ２１，２２に撮像された観察像は、カメラコントロールユニット２７，２８、ケーブル２７１，２８１を介して、画像制御部２６に出力される。
【００４０】
ここで、画像制御部２６は、ロック／フリースイッチ２４がオフである場合、ケーブル２７１，２８１からの観察像の映像信号を、ケーブル３０を介して立体表示装置３１に出力する。これにより、術者Ｓは、立体表示装置３１を見ることで、術部Ｐの観察像を立体観察することができる。
【００４１】
次に、術者Ｓは、保持機構部２３先端を手で保持し、ロック／フリースイッチ２４を押しながら立体内視鏡２０を所望な位置に移動させる。この際、ＴＶカメラ２１，２２に撮像された観察像は、カメラコントロールユニット２７，２８、ケーブル２７１，２８１を介して、画像制御部２６に入力される。
【００４２】
ここで、画像制御部２６は、ロック／フリースイッチ２４からのオン信号がケーブル２４１を介して入力されていことで、立体内視鏡２０が移動していることが認識される。これにより、画像制御部２６は、ＴＶカメラ２１，２２の何れか一方の映像信号を遮断し、例えばＴＶカメラ２１の画像のみを立体表示装置３１に出力する。ここで、術者Ｓは、術部Ｐの観察像が二次元像として観察される。
【００４３】
そして、立体内視鏡２０が所望に位置に移動されて、術者Ｓの手がロック／フリースイッチ２４から離されると、ＴＶカメラ２１，２２に撮像された観察像が立体表示装置３１に出力され、この立体表示装置３１を見ることで立体観察が可能となる。
【００４４】
また、術者Ｓが微細な作業をする場合には、立体内視鏡２０に内蔵された変倍光学系（図示せず）を操作し、作業しやすい倍率にすべく、図示しないスイッチ等の操作手段により所望の倍率に変更して観察する。この際、変倍光学系（図示せず）の位置が倍率変更スイッチ２５を押すことにより、上述したように画像制御部２６に設けられた上記記憶手段（図示せず）に記憶される。
【００４５】
次に、術者Ｓは、術部Ｐの全体を観察するために、同様に上記スイッチ等の操作手段（図示せず）により所望の倍率に変倍光学系の位置を変更し、倍率変更スイッチ２５を押すことで、同様に前記記憶手段（図示せず）に記憶させる。
【００４６】
また、手術中において、微細な作業を行う場合には、倍率変更スイッチ２５を押すことで、立体表示装置３１に図５（ａ）に示すような拡大された術部の観察像が表示されて観察される。そして、術部Ｐ全体を観察する場合には、再度、倍率変更スイッチ３８を押すと、立体表示装置３１に図５（ｂ）に示すように術部全体の観察像が表示されて観察される。この際、画像制御部２６は、例えば図５（ａ）で表示される画像範囲を記憶し、図５（ｂ）に示される観察像に観察範囲３１１を表示する。
【００４７】
このように第２の実施の形態においては、術者Ｓが、立体内視鏡２０を移動する、つまりロック／フリースイッチ２４をオンすると同時に、画像制御部２６から立体表示装置３１に出力される観察像を、ＴＶカメラ２１もしくは２２の何れか一方を選択し、例えば手術作業時、三次元の観察像を表示し、立体内視鏡２０を移動する際に、二次元の観察像を表示させるように構成した。これによれば、術者Ｓは、立体内視鏡２０を移動させる際に、頭（眼）が立体表示装置３１に対し移動した状態で、観察像を観察し続けても違和感がなく、常に、術部Ｐの観察が可能となることにより、手術を効率的に行うことが可能となる。
【００４８】
また、異なる倍率を記憶する記憶手段（図示せず）を画像制御部２６に設け、倍率変更スイッチ２５の切替操作により、自動で異なる２種類の倍率が選択可能に構成した。これによれば、微細な作業と、広い観察範囲を必要とする作業を交互に行うことが要求される手術において、所望の倍率を選択するのに、長時間変倍光学系を操作するスイッチの操作を行う必要がなく、手術時間が短縮されることにより、術者の疲労軽減に寄与することが可能となる。
【００４９】
更に、低倍率に、高倍率の観察範囲３１１を重ねて表示するように構成していることで、術者Ｓは、倍率変更スイッチ２５を操作する際に、観察可能な範囲が瞬時に把握することが可能であるため、観察に必要な部位を予め観察範囲３１１内部に納めることで、変倍により観察像を見失ってしまうこともなくなり、その取扱い操作性の向上が図れる。
【００５０】
（第３の実施の形態）
図６は、この発明の第３の実施の形態に係る立体観察装置を示すもので、顕微鏡を用いて立体観察手段が構成される。但し、図６においては、上記図１と同一部分について同一符号を付して、その詳細な説明を省略する。
【００５１】
即ち、鏡体部４０には、その先端部に対物レンズ４０１が収容配置され、この対物レンズ４０１の光軸を挟んで観察倍率を変化させる一対の第１の変倍光学系４０２、一対の第１の結像レンズ４０３、撮像手段である一対の第１のＣＣＤ４０４が収容配置される。また、鏡体部４０には、上記第１の変倍光学系４０２よりも倍率が低い変倍範囲を有する第２の変倍光学系４０５、第２の結像レンズ４０６及び撮像手段である第２のＣＣＤ４０７が上記対物レンズ４０１の光軸上に順に収容配置される。
【００５２】
上記第１及び第２のＣＣＤ４０４，４０７には、第１及び第２のカメラコントロールユニット４１，４２が接続され、この第１及び第２のカメラコントロールユニット４１，４２には、画像制御部４３が接続される。この画像制御部４３には、モニター駆動部４４が接続され、このモニター駆動部４４には、上記鏡体部４０に配される一対の第１のモニター４０８が接続される。そして、この一対の第１のモニター４０８には、一対の接眼レンズ４０９が対向配置され、この接眼レンズ４０９を通して一対の第１のモニター４０８が可視される。
【００５３】
また、上記画像制御部４３には、上記鏡体部４０に設けられた移動操作用のグリップ部４５に配される変更手段を構成するロック／フリースイッチ４６が接続され、このロック／フリースイッチ４６のオン・オフ信号が入力される。このロック／フリースイッチ４６は、上述した第１の実施の形態と略同様に、そのオン／オフ操作に連動して上記架台１１（上記図１参照）の電磁ブレーキ（図示せず）をオン／オフ切換制御して、架台１１の移動・固定を可能とする。
【００５４】
上記構成において、術部Ｐを発した光は、対物レンズ４０１、第１の変倍光学系４０２、第２の結像レンズ４０６により結像されて観察像として第１のＣＣＤ４０４に導かれる。この術部Ｐの観察像は、第１のＣＣＤ４０４により電気信号に変換され、第１のカメラコントロールユニット４１で映像信号が生成され、この映像信号が画像制御部４３に入力される。
【００５５】
同時に、術部Ｐを発した光は、対物レンズ４０１、第２の変倍光学系４０５、第２の結像レンズ４０６により結像されて、上記第１の変倍光学系４０２とは異なる観察倍率である観察像として、第２のＣＣＤ４０７に導かれる。この術部Ｐの観察像は、第２のＣＣＤ４０７により電気信号に変換され、この電気信号に基づいて第２のカメラコントロールユニット４２で映像信号が生成され、この映像信号が上記画像制御部４３に入力される。
【００５６】
ここで、画像制御部４３は、ロック／フリースイッチ４６がオフ状態において、第１のカメラコントロールユニット４１からの観察像を第１のモニター４０８にそれぞれ、左右の相関を取った状態で表示する。これにより、術者Ｓは、接眼レンズ４０９を通して術部Ｐの立体観察が行われる。
【００５７】
そして、術者Ｓが鏡体部４０を移動するために、ロック／フリースイッチ４６をオンさせると、画像制御部４３は、第２のカメラコントロールユニット４２の画像をモニター駆動部４４を介して第１のモニター４０８に出力して表示する。ここで、術者Ｓは、接眼レンズ４０９を通して術部Ｐの二次元観察画像が観察される。この際、第２の変倍光学系４０５を通過した観察像を観察することとなるが、第２の変倍光学系４０５は、第１の変倍光学系４０２よりも低い倍率に設定されていることで、第１のカメラコントロールユニット４１で得られる観察像よりも、広い観察範囲を観察することができる。
【００５８】
このように第３の実施の形態においては、上記第１の実施の形態と略同様に鏡体部４０を移動操作するグリップ部４５に配したロック／フリースイッチ４６のオン操作に連動して、異なる倍率範囲を有する第２の変倍光学系４０５を介した第２のＣＣＤ４０７により撮像された観察像を切替え表示するようにして、観察像を、手術作業時に適する三次元像、鏡体部４０の移動時、二次元像に切替ることで、鏡体部４０を移動させる際に、頭（眼）が接眼レンズ４０９に対し移動した状態で観察像を観察し続けても違和感がなく、常に術部Ｐの観察が可能であるため手術が効率的に行うことが可能となる。
【００５９】
また、第３の実施の形態では、第２の変倍光学系４０５及び第２のＣＣＤ４０７を対物レンズ４０１の中心部に配置したため、第１の実施の形態と比較して、三次元像に切替えた場合、視差による観察範囲の「ずれ」が少なく、容易に所望な部位が観察可能となり、さらに有効な効果が期待される。
【００６０】
さらに、第３の実施の形態においては、ロック／フリースイッチ４６のオン・オフ操作に連動して、画像を切り替える例を開示したが、電動で視野が移動できる顕微鏡に用いても適用可能で、略同様な効果が得られる。
【００６１】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００６２】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００６３】
また、この発明は、上記各実施の形態によれば、次のような構成を得ることもできる。
【００６４】
（付記１）
術部を立体観察可能な立体光学系を有する立体観察手段と、前記立体観察手段を三次元的に移動・固定可能な保持手段を有する立体観察装置において、
前記立体観察手段の移動・固定に連動して、前記立体観察手段で観察される観察像を立体／非立体像に変更する変更手段を設けたことを特徴とする立体観察装置。
【００６５】
（付記２）
前記立体観察手段が、左右光路が互いに独立し、互いに異なる視差を有する２つの中間像を形成し、前記中間像の位置に透過型拡散デバイスが設けられている実態顕微鏡であることを特徴とする付記１記載の立体観察装置。
【００６６】
（付記３）
前記立体観察手段が、左右光路が互いに独立し、互いに異なる視差を有する２つの観察画像が撮像可能な画像顕微鏡であることを特徴とする付記１記載の立体観察装置。
【００６７】
（付記４）
前記立体観察手段が、左右光路が互いに独立し、互いに異なる視差を有する２つの観察画像が撮像可能な立体内視鏡であることを特徴とする付記１記載の立体観察装置。
【００６８】
（付記５）
前記変更手段が、左右の独立した光路に挿脱可能なビームスプリッター及び反射プリズムであることを特徴とする付記１又は２記載の立体観察装置。
【００６９】
（付記６）
前記変更手段が、左右の独立した観察画像の何れか一つを選択する画像制御手段であることを特徴とする付記１、３、４のいずれか記載の立体観察装置。
【００７０】
（付記７）
前記変更手段が、第３の観察光学系により撮像された観察像を表示する表示手段からなることを特徴とする付記１、３、４のいずれか記載の立体観察装置。
【００７１】
（付記８）
術部を拡大観察する一対の第１の変倍光学系と、前記第１の変倍光学系からの観察像を観察する観察手段を有する立体観察手段において、
前記第１の変倍光学系とは異なる変倍範囲を有する第２の変倍光学系と、前記第２の変倍光学系からの観察像を前記観察手段から観察すべく、前記第１の変倍光学系と前記第２の変倍光学系を移動させる移動手段からなることを特徴とする立体観察装置。
【００７２】
（付記９）
術部を拡大観察する一対の第１の変倍光学系と、前記第１の変倍光学系からの観察像を撮像する撮像手段と、前記撮像手段から得らる観察像を観察する観察手段を有する立体観察手段において、
前記第１の変倍光学系とは異なる変倍範囲を有する第２の変倍光学系と、前記第２の変倍光学系で撮像される観察像と、切り替えて表示する画像選択手段を有していることを特徴とする立体観察装置。
【００７３】
（付記１０）
前記第２の変倍光学系が一対の変倍光学系からなることを特徴とする付記８記載の立体観察装置。
【００７４】
（付記１１）
前記第２の変倍光学系が前記第１の変倍光学系の中間位置に配置されていることを特徴とする付記９記載の立体観察装置。
【図面の簡単な説明】
【００７５】
【図１】この発明の第１の実施の形態に係る立体観察装置の構成を示した構成図である。
【図２】図１の鏡体部を取り出して示した断面図である。
【図３】図２の変倍光学系の配置状態を示した配置説明図である。
【図４】この発明の第２の実施の形態に係る立体観察装置の構成を示した構成図である。
【図５】図４の観察像の切替表示状態を説明するために示した図である。
【図６】この発明の第２の実施の形態に係る立体観察装置の要部を取り出して示した構成図である。
【図７】従来の問題点を説明するために示した図である。
【符号の説明】
【００７６】
１０…鏡体部、１０１…対物レンズ、１０２…第１の変倍光学系、１０３…結像レンズ、１０４…透過型光拡散デバイス、１０５…接眼レンズ、１０６…空間部、１０７…スライド部材、１０８…ビームスプリッタ、１０９…反射プリズム、１００２…第２の変倍光学系、１１…架台、１２…制御部、１３…グリップ部、１４…ロック／フリースイッチ、１４１…ケーブル、１５…第１の制御部、１５１、１５２…ケーブル、１６…切替スイッチ、１６１…ケーブル、１７…第２の制御部、１７１…ケーブル、１８…モーター、１８１…ギア、２０…立体内視鏡、２１、２２…ＴＶカメラ、２３…保持機構部、２４…ロック／フリースイッチ、２４１…ケーブル、２５…倍率変更スイッチ、２５１…ケーブル、２６…画像制御部、２７，２８…カメラコントロールユニット、２７１，２８１…ケーブル、３０…ケーブル、３１…立体表示装置、３１１…観察範囲、４０…鏡体部、４０１…対物レンズ、４０２…第１の変倍光学系、４０３…結像レンズ、４０４…第１のＣＣＤ、４０５…第２の変倍光学系、４０６…第２の結像レンズ、４０７…第２のＣＣＤ、４０８…モニター、４０９…接眼レンズ、４１，４２…カメラコントローラ、４３…画像制御部、４４…モニター駆動部、４５…グリップ部、４６…ロック／フリースイッチ。
【図１】
2005066080.tif 000003
【図２】
2005066080.tif 000004
【図３】
2005066080.tif 000005
【図４】
2005066080.tif 000006
【図５】
2005066080.tif 000007
【図６】
2005066080.tif 000008
【図７】
2005066080.tif 000009